【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
被写体を撮像して画像データを記憶手段に順次記憶し、再生時に該記憶手段に記憶した画像データを表示する表示装置を有する電子撮像装置において、
前記記憶手段に記憶された画像データの中から画像データを選択する選択手段と、
前記選択手段によって選択された画像データ毎に外部機器に送信するか否かを設定する送信許可設定手段と、
前記送信許可設定手段によって送信が許可されている画像データの受信側機器を特定する識別情報を設定する識別情報設定手段と、
前記記憶手段から前記送信許可設定手段によって送信が許可されている画像データを読み出し、該画像データに前記識別情報付加手段により設定された識別情報を付加して外部機器に送信する送信手段と、
前記送信許可設定手段により送信が許可された画像データを表示する場合、送信が許可されていることを、前記表示装置に画像データとともに認識可能に表示する表示制御手段と
を具備することを特徴とする電子撮像装置。
【請求項２】
被写体を撮像して画像データを記憶手段に順次記憶し、再生時に該記憶手段に記憶した画像データを表示する表示装置を有する電子撮像装置において、
前記記憶手段に記憶された画像データの中から画像データを選択する選択手段と、
前記選択手段により選択された画像データ毎に、それぞれの画像データの受信側機器を特定する識別情報を設定する識別情報設定手段と、
前記記憶手段に記憶されている画像データを送信する際、前記識別情報付加手段により識別情報が設定されている場合、該画像データに設定された識別情報を付加して外部機器に送信する送信手段と
を具備することを特徴とする電子撮像装置。
【請求項３】
前記送信手段は、前記記憶手段に記憶されている画像データに対し、前記識別情報設定手段により識別情報が設定されている画像データには該識別情報を付加して外部機器に送信し、識別情報が設定されていない画像データはそのまま外部機器に送信する請求項２記載の電子撮像装置。
【請求項４】
前記識別情報設定手段によって設定される識別情報を入力する入力手段を具備することを特徴とする請求項２または３に記載の電子撮像装置。
【請求項５】
前記識別情報設定手段によって設定される識別情報は、当該装置に着脱可能な記憶媒体に記憶されていることを特徴とする請求項１ないし３のいずれかに記載の電子撮像装置。
【請求項６】
被写体を撮像して画像データを記憶手段に順次記憶し、再生時に該記憶手段に記憶した画像データを表示する表示装置を有する電子撮像装置において、
送信されてきた画像データを受信する受信手段と、
識別情報を記憶する識別情報記憶手段と、
前記受信手段により受信した画像データに付加されている識別情報と、前記識別情報記憶手段に記憶されている識別情報とが一致した場合、受信した画像データを保持する保持手段と
を具備することを特徴とする電子撮像装置。
【請求項７】
前記受信手段は、識別情報が付加されていない画像データのみを受信することを特徴とする請求項６記載の電子撮像装置。
【請求項８】
前記記憶手段に記憶される識別情報を入力する入力手段を具備することを特徴とする請求項６記載の電子撮像装置。
【請求項９】
前記記憶手段は、当該装置に着脱可能な記憶媒体であることを特徴とする請求項６記載の電子撮像装置。
【請求項１０】
前記送信手段および前記受信手段は、有線または無線のいずれかで画像データを送受信することを特徴とする請求項１ないし９のいずれかに記載の電子撮像装置。
【請求項１１】
被写体を撮影する撮像手段と、
前記撮像手段により撮像した画像データを複数記憶する記憶手段と、
前記記憶手段に記憶された画像データ毎に、それぞれの画像データの受信側機器を特定する第１の識別情報を設定する識別情報設定手段と、
前記記憶手段に記憶されている画像データを送信する際、前記識別情報付加手段により第１の識別情報が設定されている場合、該画像データに設定された第１の識別情報を付加して外部機器に送信する送信手段と、
送信されてくる画像データを受信する受信手段と、
第２の識別情報を記憶する識別情報記憶手段と、
前記受信手段により受信した画像データに第１の識別情報が付加されている場合、受信した画像データに付加されている第１の識別情報と、前記識別情報記憶手段に記憶されている第２の識別情報とが一致した場合に、受信した画像データを前記記憶手段に保持する保持手段と、
前記記憶手段に記憶されている画像データを表示する表示手段と
を具備することを特徴とする電子撮像システム。
【請求項１２】
前記保持手段は、前記受信手段により受信した画像データに第１の識別情報が付加されていない場合、無条件で受信した画像データを前記記憶手段に保持することを特徴とする請求項１１記載の電子撮像システム。
【請求項１３】
コンピュータによって読み取られ実行可能なプログラムコードを記憶してなる記憶媒体であって、
撮像され記憶されている画像データに識別情報を付加させるプログラムコードと、
送信可否を判断するプログラムコードと、
送信を制御するためのプログラムコードと、
送信可と判断された画像データに前記識別情報を付加して送信させるプログラムコードと、
受信を制御するためのプログラムコードと、
受信した画像データの識別情報を認識させるプログラムコードと、
前記識別情報の認識結果に応じて受信した画像データを記憶させるプログラムコードと、
前記記憶された画像データを表示させるプログラムコードと
を含むことを特徴とする記憶媒体。
【手続補正２】
【補正対象書類名】明細書
【補正対象項目名】０００５
【補正方法】変更
【補正の内容】
【０００５】
【課題を解決するための手段】
上記目的達成のため、請求項１記載の発明による電子撮像装置は、被写体を撮像して画像データを記憶手段に順次記憶し、再生時に該記憶手段に記憶した画像データを表示する表示装置を有する電子撮像装置において、前記記憶手段に記憶された画像データの中から画像データを選択する選択手段と、前記選択手段によって選択された画像データ毎に外部機器に送信するか否かを設定する送信許可設定手段と、前記送信許可設定手段によって送信が許可されている画像データの受信側機器を特定する識別情報を設定する識別情報設定手段と、前記記憶手段から前記送信許可設定手段によって送信が許可されている画像データを読み出し、該画像データに前記識別情報付加手段により設定された識別情報を付加して外部機器に送信する送信手段と、前記送信許可設定手段により送信が許可された画像データを表示する場合、送信が許可されていることを、前記表示装置に画像データとともに認識可能に表示する表示制御手段とを具備することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、上記目的達成のため、請求項２記載の発明による電子撮像装置は、被写体を撮像して画像データを記憶手段に順次記憶し、再生時に該記憶手段に記憶した画像データを表示する表示装置を有する電子撮像装置において、前記記憶手段に記憶された画像データの中から画像データを選択する選択手段と、前記選択手段により選択された画像データ毎に、それぞれの画像データの受信側機器を特定する識別情報を設定する識別情報設定手段と、前記記憶手段に記憶されている画像データを送信する際、前記識別情報付加手段により識別情報が設定されている場合、該画像データに設定された識別情報を付加して外部機器に送信する送信手段とを具備することを特徴とする。
【手続補正７】
【補正対象書類名】明細書
【補正対象項目名】００１０
【補正方法】変更
【補正の内容】
【００１０】
また、好ましくは、前記送信手段は、例えば請求項３記載のように、前記記憶手段に記憶されている画像データに対し、前記識別情報設定手段により識別情報が設定されている画像データには該識別情報を付加して外部機器に送信し、識別情報が設定されていない画像データはそのまま外部機器に送信するようにしてもよい。
【手続補正８】
【補正対象書類名】明細書
【補正対象項目名】００１１
【補正方法】変更
【補正の内容】
【００１１】
また、好ましくは、例えば請求項４記載のように、前記識別情報設定手段によって設定される識別情報を入力する入力手段を具備するようにしてもよい。
【手続補正９】
【補正対象書類名】明細書
【補正対象項目名】００１２
【補正方法】変更
【補正の内容】
【００１２】
また、好ましくは、例えば請求項５記載のように、前記識別情報設定手段によって設定される識別情報は、当該装置に着脱可能な記憶媒体に記憶されていてもよい。
【手続補正１０】
【補正対象書類名】明細書
【補正対象項目名】００１３
【補正方法】変更
【補正の内容】
【００１３】
また、上記目的達成のため、請求項６記載の発明による電子撮像装置は、被写体を撮像して画像データを記憶手段に順次記憶し、再生時に該記憶手段に記憶した画像データを表示する表示装置を有する電子撮像装置において、送信されてきた画像データを受信する受信手段と、識別情報を記憶する識別情報記憶手段と、前記受信手段により受信した画像データに付加されている識別情報と、前記識別情報記憶手段に記憶されている識別情報とが一致した場合、受信した画像データを保持する保持手段とを具備することを特徴とする。
【手続補正１１】
【補正対象書類名】明細書
【補正対象項目名】００１４
【補正方法】変更
【補正の内容】
【００１４】
また、好ましくは、前記受信手段は、例えば請求項７記載のように、識別情報が付加されていない画像データのみを受信するようにしてもよい。
【手続補正１２】
【補正対象書類名】明細書
【補正対象項目名】００１５
【補正方法】変更
【補正の内容】
【００１５】
また、好ましくは、例えば請求項８記載のように、前記記憶手段に記憶される識別情報を入力する入力手段を具備するようにしてもよい。
【手続補正１３】
【補正対象書類名】明細書
【補正対象項目名】００１６
【補正方法】変更
【補正の内容】
【００１６】
また、好ましくは、例えば請求項９記載のように、前記記憶手段は、当該装置に着脱可能な記憶媒体であってもよい。
【手続補正１４】
【補正対象書類名】明細書
【補正対象項目名】００１７
【補正方法】変更
【補正の内容】
【００１７】
また、好ましくは、前記送信手段および前記受信手段は、例えば請求項１０記載のように、有線または無線のいずれかで画像データを送受信するようにしてもよい。
【手続補正１５】
【補正対象書類名】明細書
【補正対象項目名】００１８
【補正方法】変更
【補正の内容】
【００１８】
また、上記目的達成のため、請求項１１記載の発明による電子撮像システムは、被写体を撮影する撮像手段と、前記撮像手段により撮像した画像データを複数記憶する記憶手段と、前記記憶手段に記憶された画像データ毎に、それぞれの画像データの受信側機器を特定する第１の識別情報を設定する識別情報設定手段と、前記記憶手段に記憶されている画像データを送信する際、前記識別情報付加手段により第１の識別情報が設定されている場合、該画像データに設定された第１の識別情報を付加して外部機器に送信する送信手段と、送信されてくる画像データを受信する受信手段と、第２の識別情報を記憶する識別情報記憶手段と、前記受信手段により受信した画像データに第１の識別情報が付加されている場合、受信した画像データに付加されている第１の識別情報と、前記識別情報記憶手段に記憶されている第２の識別情報とが一致した場合に、受信した画像データを前記記憶手段に保持する保持手段と、前記記憶手段に記憶されている画像データを表示する表示手段とを具備することを特徴とする。
【手続補正１６】
【補正対象書類名】明細書
【補正対象項目名】００１９
【補正方法】変更
【補正の内容】
【００１９】
また、好ましくは、前記保持手段は、例えば請求項１２記載のように、前記受信手段により受信した画像データに第１の識別情報が付加されていない場合、無条件で受信した画像データを前記記憶手段に保持するようにしてもよい。
【手続補正１７】
【補正対象書類名】明細書
【補正対象項目名】００２０
【補正方法】変更
【補正の内容】
【００２０】
また、上記目的達成のため、請求項１３記載の発明による記憶媒体は、コンピュータによって読み取られ実行可能なプログラムコードを記憶してなる記憶媒体であって、撮像され記憶されている画像データに識別情報を付加させるプログラムコードと、送信可否を判断するプログラムコードと、送信を制御するためのプログラムコードと、送信可と判断された画像データに前記識別情報を付加して送信させるプログラムコードと、受信を制御するためのプログラムコードと、受信した画像データの識別情報を認識させるプログラムコードと、前記識別情報の認識結果に応じて受信した画像データを記憶させるプログラムコードと、前記記憶された画像データを表示させるプログラムコードとを含むことを特徴とする。
【手続補正１８】
【補正対象書類名】明細書
【補正対象項目名】００７５
【補正方法】変更
【補正の内容】
【００７５】
【発明の効果】
請求項１記載の発明によれば、選択手段により、前記記憶手段に記憶された画像データの中から画像データを選択し、送信許可設定手段により、選択された画像データ毎に外部機器に送信するか否かを設定し、識別情報設定手段により、送信が許可されている画像データの受信側機器を特定する識別情報を設定し、送信手段により、前記記憶手段から前記送信許可設定手段によって送信が許可されている画像データを読み出し、該画像データに前記識別情報付加手段により設定された識別情報を付加して外部機器に送信し、前記送信許可設定手段により送信が許可された画像データを表示する場合、表示制御手段により、送信が許可されていることを、前記表示装置に画像データとともに認識可能に表示するようにしたので、記録した画像データを他の機器へ送信する際、特定の画像データ、例えば機密性を有する画像データを他人に見られることを防止できるという利点が得られる。
【手続補正１９】
【補正対象書類名】明細書
【補正対象項目名】００７６
【補正方法】削除
【補正の内容】
【手続補正２０】
【補正対象書類名】明細書
【補正対象項目名】００７７
【補正方法】削除
【補正の内容】
【手続補正２１】
【補正対象書類名】明細書
【補正対象項目名】００７８
【補正方法】削除
【補正の内容】
【手続補正２２】
【補正対象書類名】明細書
【補正対象項目名】００７９
【補正方法】変更
【補正の内容】
【００７９】
また、請求項２記載の発明によれば、選択手段により、前記記憶手段に記憶された画像データの中から画像データを選択し、識別情報設定手段により、前記選択手段により選択された画像データ毎に、受信側機器を特定する識別情報を設定し、前記記憶手段に記憶されている画像データを送信手段によって送信する際、前記識別情報付加手段により識別情報が設定されている場合、該画像データに設定された識別情報を付加して外部機器に送信するようにしたので、受信側に、異なる識別情報が設定されている電子スチルカメラや識別情報が設定されていない電子スチルカメラが混在する場合であっても、他の機器への情報の漏洩を防止することができるとともに、それぞれの画像データを特定の受信側の機器へ送信することができるという利点が得られる。
【手続補正２３】
【補正対象書類名】明細書
【補正対象項目名】００８０
【補正方法】変更
【補正の内容】
【００８０】
また、請求項３記載の発明によれば、前記識別情報設定手段により識別情報が設定されている画像データは該識別情報を付加して外部機器に送信し、識別情報が設定されていない画像データはそのまま外部機器に送信するようにしたので、識別情報が付加された画像データは識別情報を持つ機器でのみ受信され、識別情報が付加されていない画像データはどの機器でも受信できるので、機密性の有する画像データと機密性のない画像データとを同時に送信できるという利点が得られる。
【手続補正２４】
【補正対象書類名】明細書
【補正対象項目名】００８１
【補正方法】変更
【補正の内容】
【００８１】
また、請求項４記載の発明によれば、入力手段によって、前記識別情報設定手段によって設定される識別情報を入力するようにしたので、識別情報を任意のものに変えることができ、情報の漏洩をより確実に防止することができるという利点が得られる。
【手続補正２５】
【補正対象書類名】明細書
【補正対象項目名】００８２
【補正方法】変更
【補正の内容】
【００８２】
また、請求項５記載の発明によれば、前記識別情報設定手段によって設定される識別情報を当該装置に着脱可能な記憶媒体に記憶するようにしたので、記憶媒体を受信側の機器に装着し、受信側で、受信した画像データに付加されている識別情報と、記憶媒体に記憶されている識別情報とが一致した場合、上記画像データを表示するようにすれば、識別情報を口頭で伝えたり、メモなどに書いておく必要がなくなるので、ユーザの手間を軽減することができるとともに、識別情報を誤って入力したり、入力する手間をなくすことができるという利点が得られる。
【手続補正２６】
【補正対象書類名】明細書
【補正対象項目名】００８３
【補正方法】変更
【補正の内容】
【００８３】
また、請求項６記載の発明によれば、受信手段によって、外部機器から送信されてきた画像データを受信し、該受信した画像データに付加されている識別情報と、前記記憶手段に記憶されている識別情報とが一致した場合、保持手段に受信した画像データを保持するようにしたので、識別情報が一致した場合のみ、受信した画像データを表示することができるため、識別情報が一致しない、または有していない機器によって、特定の画像データ、例えば機密性を有する画像データが見られることを防止できるという利点が得られる。
【手続補正２７】
【補正対象書類名】明細書
【補正対象項目名】００８４
【補正方法】変更
【補正の内容】
【００８４】
また、請求項７記載によれば、識別情報が付加されていない画像データのみを受信するようにしたので、機密性を有しない画像データはどの機器でも見ることができるという利点が得られる。
【手続補正２８】
【補正対象書類名】明細書
【補正対象項目名】００８５
【補正方法】変更
【補正の内容】
【００８５】
また、請求項８記載の発明によれば、入力手段によって、前記記憶手段に記憶される識別情報を入力するようにしたので、識別情報を任意のものに変えることができ、情報の漏洩をより確実に防止することができるという利点が得られる。
【手続補正２９】
【補正対象書類名】明細書
【補正対象項目名】００８６
【補正方法】変更
【補正の内容】
【００８６】
また、請求項９記載の発明によれば、当該装置に着脱可能な記憶媒体に、受信側の機器を特定する識別情報を記憶するようにしたので、記憶媒体を受信側の機器に装着し、受信側で、受信した画像データに付加されている識別情報と、記憶媒体に記憶されている識別情報とが一致した場合、上記画像データを表示するようにすれば、識別情報を口頭で伝えたり、メモなどに書いておく必要がなくなるので、ユーザの手間を軽減することができるとともに、識別情報を誤って入力したり、入力する手間をなくすことができるという利点が得られる。
【手続補正３０】
【補正対象書類名】明細書
【補正対象項目名】００８７
【補正方法】変更
【補正の内容】
【００８７】
また、請求項１０記載の発明によれば、前記送信手段によって、有線または無線のいずれかで画像データを送信するようにしたので、使用形態に依存せずに画像データを送信することができるという利点が得られる。
【手続補正３１】
【補正対象書類名】明細書
【補正対象項目名】００８８
【補正方法】変更
【補正の内容】
【００８８】
また、請求項１１記載の発明によれば、撮像手段により撮像した画像データを記憶手段に複数記憶し、識別情報設定手段により、前記記憶手段に記憶された画像データ毎に、それぞれの画像データの受信側機器を特定する第１の識別情報を設定し、送信手段により、前記記憶手段に記憶されている画像データを送信する際、前記識別情報付加手段により第１の識別情報が設定されている場合、該画像データに設定された第１の識別情報を付加して外部機器に送信するとともに、受信手段により、送信されてくる画像データを受信し、前記受信手段により受信した画像データに第１の識別情報が付加されている場合、受信した画像データに付加されている第１の識別情報と、前記識別情報記憶手段に記憶されている第２の識別情報とが一致した場合、保持手段により、受信した画像データを前記記憶手段に保持し、前記記憶手段に記憶されている画像データを表示手段に表示するようにしたので、記録した画像データを他の機器へ送信する際、特定の画像データ、例えば機密性を有する画像データを他人に見られることを防止できるという利点が得られる。
【手続補正３２】
【補正対象書類名】明細書
【補正対象項目名】００８９
【補正方法】変更
【補正の内容】
【００８９】
また、請求項１２記載の発明によれば、前記受信手段により受信した画像データに第１の識別情報が付加されていない場合、無条件で受信した画像データを前記記憶手段に保持するようにしたので、機密性を有しない画像データはどの機器でも見ることができるという利点が得られる。
【手続補正３３】
【補正対象書類名】明細書
【補正対象項目名】００９０
【補正方法】変更
【補正の内容】
【００９０】
また、請求項１３記載の発明によれば、プログラムコードをコンピュータに読み込ませて実行することにより、コンピュータ間で、あるいはコンピュータと電子撮像装置間で、記録した画像データを送受信することができ、かつ特定の画像データ（機密性を有する画像データ）を他人に見られることを防止できるという利点が得られる。